(57)【要約】      （修正有）【課題】マニュアルフォーカス撮影時の合焦位置の視認性を向上させ、同時に合焦位置調整のためのヒントも表現する。【解決手段】撮影領域をタイル状に分割し合焦枠領域を用意し、撮影時のスルー画を表示する表示装置に合焦枠を重畳できるようにする。そして、撮影時に合焦範囲が合焦枠表示領域内に含まれるとき、該当する合焦枠をスルー画に重畳表示する。このとき、領域内の合焦度合い（コントラスト評価値の高低）で合焦枠のフチ色の濃淡（透過度）を変え、合焦度合いを視覚的にわかるよう表示する。【選択図】図６
2019191439.tif 000002
【特許請求の範囲】
【請求項１】
マニュアルフォーカスで撮影する手段と、
撮影ライブ画像を表示する手段と、
合焦枠を表示する手段と、
合焦枠の透明度を変えて撮影ライブ画像に重畳表示する手段と、
合焦判断のためのコントラスト評価値を算出する手段と、
コントラスト評価値の高さに応じて透明度を変えて合焦枠を合焦領域に重畳する手段を有することを特徴とする撮像装置。
【請求項２】
請求項１に記載の撮像装置において、合焦している領域に対して複数の合焦枠表示ができること。
【請求項３】
請求項１に記載の撮像装置において、コントラスト評価値の高い合焦枠の最大表示数が設定できること。
【請求項４】
請求項１に記載の撮像装置において、合焦枠表示の大きさや形状が設定できること。
【発明の詳細な説明】
【技術分野】
【０００１】
本発明は、撮像制御装置、その制御方法、プログラムおよび記録媒体に関するものである。
【背景技術】
【０００２】
既存のカメラではマニュアルフォーカス時にピーキング表示し、ライブ画像上のピントが合っている箇所のエッジ部分（合焦箇所）に色を重畳し、ピント位置を示している。また、ピントが合っている箇所のエッジ部分に重畳する色もメニューで数色から選択できるようになっている。しかし、ピントが合っている箇所の色とピーキング表示色が同系統色の場合、ピント位置確認の視認性は良くない（図７参照）。
【０００３】
特許文献１はフォーカスレンズを移動させて被写界深度が同じ範囲の合焦領域を判定し、複数ある場合は同じ色の枠で表示する発明である。しかし、マニュアルフォーカス時はフォーカスレンズを通常は手動で動かすため、先行例のピーキング表示への適用は困難である。
【０００４】
特許文献２はマニュアルフォーカス撮影時に撮影画像のコントラスト評価値を算出し、その数値に基づいてエッジ強調画像を光学ファインダーに重ねて表示する発明である。光学ファインダーでのピーキング表示実現には有効であるが、エッジ強調での重畳のため、視認性は電子ビューファインダーのピーキング表示と同じではないかと思われる。
【先行技術文献】
【特許文献】
【０００５】
【特許文献１】特開2007-214845号公報
【特許文献２】特許第5546692号
【発明の概要】
【発明が解決しようとする課題】
【０００６】
マニュアルフォーカス撮影のピーキング表示を合焦枠で表示し、ピントが合っている箇所の視認性を向上させる撮像装置である。ピントが合っている箇所の色とピーキング表示色が同系統色の場合、ピント位置の視認性は良くない。また、それらが同系色でない場合でもオートフォーカス撮影時の合焦枠表示に比べると、マニュアルフォーカス撮影時のピーキング表示には慣れが必要だと感じている。
【０００７】
また、オートフォーカス撮影で号証領域が複数ある場合、複数の号証枠を表示する事ができる。しかし、それは合焦している領域を枠で表示しているだけである。オートフォーカス撮影時は通常シャッターボタンの操作のみでカメラ任せで簡単に合焦のやり直しができる。一方、マニュアルフォーカス撮影時に合焦位置を変更するには手動操作が必要となる。マニュアルフォーカス撮影時に合焦位置を手動で変更する際、現在焦点の手前または奥に合焦位置が存在することのヒント表示があれば、使用者が合焦位置調整を行う手助けにもなり、望ましいと考える。
【０００８】
以上から、マニュアルフォーカス撮影時の合焦位置の視認性を向上させ、同時に合焦位置調整のためのヒントも表現することの実現を課題とする。
【課題を解決するための手段】
【０００９】
マニュアルフォーカス撮影時のピーキング表示を合焦枠で表示する。また、コントラスト評価値の高さに応じて合焦枠の透明度を変えて表示する。
【００１０】
そのために、撮影領域をタイル状に分割し合焦枠領域を用意し、撮影時のスルー画を表示する表示装置に合焦枠を重畳できるようにする。そして、撮影時に合焦範囲が合焦枠表示領域内に含まれるとき、該当する合焦枠をスルー画に重畳表示する。このとき、領域内の合焦度合い（コントラスト評価値の高低）で合焦枠のフチ色の濃淡（透過度）を変え、合焦度合いを視覚的にわかるよう表示する（図３参照）。
【発明の効果】
【００１１】
本発明によれば、マニュアルフォーカス撮影時のピント位置の視認性向上、および、近傍ピント位置の視覚的把握が得られる。
【図面の簡単な説明】
【００１２】
【図１】本発明の一実施例としてのデジタルカメラ１００の外観図である。
【図２】本発明の一実施例としてのデジタルカメラ１００の構成ブロック図である。
【図３】本発明の解決策を示す図である。
【図４】本発明の実施形態GUIを示す図である。
【図５】本発明の解決策  実施形態に係る動作を示すフローチャート図である。
【図６】本発明の解決策を示す図である。
【図７】本発明の課題を示す図である。
【発明を実施するための形態】
【００１３】
以下、図面を参照して本発明の好適な実施形態を説明する。図１（ａ）、（ｂ）に本発明を適用可能な装置の一例としてのデジタルカメラ１００の外観図を示す。図１（ａ）はデジタルカメラ１００の前面斜視図であり、図１（ｂ）はデジタルカメラ１００の背面斜視図である。図１において、表示部２８は画像や各種情報を表示する、カメラ背面に設けられた表示部である。ファインダー外表示部４３は、カメラ上面に設けられた表示部であり、シャッター速度や絞りをはじめとするカメラの様々な設定値が表示される。
【００１４】
シャッターボタン６１は撮影指示を行うための操作部である。モード切替スイッチ６０は各種モードを切り替えるための操作部である。端子カバー４０は外部機器との接続ケーブルとデジタルカメラ１００とを接続する接続ケーブル等のコネクタ（不図示）を保護するカバーである。メイン電子ダイヤル７１は操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。
【００１５】
サブ電子ダイヤル７３は操作部７０に含まれ、操作部７０に含まれる回転操作部材であり、選択枠の移動や画像送りなどを行える。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。ＬＶボタン７６は操作部７０に含まれ、静止画撮影モードおいてライブビュー（以下、ＬＶ）のＯＮとＯＦＦを切り替えるボタンである。
【００１６】
動画撮影モードにおいては、動画撮影（記録）の開始、停止の指示に用いられる。拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は操作部７０に含まれ、拡大された再生画像の拡大率を低減させ、表示された画像を縮小させるためのボタンである。再生ボタン７９は操作部７０に含まれ、撮影モードと再生モードとを切り替える操作ボタンである。
【００１７】
撮影モード中に再生ボタン７９を押下することで再生モードに移行し、記録媒体２００に記録された画像のうち最新の画像を表示部２８に表示させることができる。クイックリターンミラー１２は、システム制御部５０から指示されて、不図示のアクチュエータによりアップダウンされる。通信端子１０はデジタルカメラ１００がレンズ側（着脱可能）と通信を行う為の通信端子である。接眼ファインダー１６はフォーカシングスクリーン１３を観察することで、レンズユニット１５０を通して得た被写体の光学像の焦点や構図の確認を行うための覗き込み型のファインダーである。
【００１８】
蓋２０２は記録媒体２００を格納したスロットの蓋である。グリップ部９０は、ユーザーがデジタルカメラ１００を構えた際に右手で握りやすい形状とした保持部である。
【００１９】
図２は、本実施形態によるデジタルカメラ１００の構成例を示すブロック図である。図２において、レンズユニット１５０は、交換可能な撮影レンズを搭載するレンズユニットである。
【００２０】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１の制御を行い、ＡＦ駆動回路３を介して、レンズ１０３の位置を変位させることで焦点を合わせる。
【００２１】
ＡＥセンサー１７は、レンズユニット１５０を通した被写体の輝度を測光する。焦点検出部１１は、システム制御部５０にデフォーカス量情報を出力する。システム制御部５０はそれに基づいてレンズユニット１５０を制御し、位相差ＡＦを行う。
【００２２】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ１６側と撮像部２２側とに切替えるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００２３】
撮影者は、ペンタプリズム１４とファインダー１６を介して、フォーカシングスクリーン１３を観察することで、レンズユニット１５０を通して得た被写体の光学像の焦点や構図の確認が可能となる。
【００２４】
シャッター１０１は、システム制御部５０の制御で撮像部２２の露光時間を自由に制御できるフォーカルプレーンシャッターである。
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２５】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２６】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２７】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。
【００２８】
ファインダー内液晶表示部４１には、ファインダー内表示部駆動回路４２を介して、現在オートフォーカスが行われている測距点を示す枠（ＡＦ枠）や、カメラの設定状態を表すアイコンなどが表示される。
ファインダー外液晶表示部４３には、ファインダー外表示部駆動回路４４を介して、シャッター速度や絞りをはじめとするカメラの様々な設定値が表示される。
【００２９】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００３０】
システム制御部５０は、少なくとも１つのプロセッサーを有する制御部であり、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１９、表示部２８等を制御することにより表示制御も行う。
【００３１】
システムタイマー５３は各種制御に用いる時間や、内蔵された時計の時間を計測する計時部である。モード切替スイッチ６０、第１シャッタースイッチ６２、第２シャッタースイッチ６４、操作部７０はシステム制御部５０に各種の動作指示を入力するための操作手段である。
【００３２】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、これらのモードのいずれかに直接切り替えられる。
【００３３】
あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００３４】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３５】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３６】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタン７０ｅが押されると各種の設定可能なメニュー画面が表示部２８に表示される。ユーザーは、表示部２８に表示されたメニュー画面と、上下左右の４方向ボタンやＳＥＴボタンとを用いて直感的に各種設定を行うことができる。
【００３７】
操作部７０は、ユーザーからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。
十字キー７４は、十字キー７４における上、下、右、左の各部を押し込み可能な方向ボタンである。本実施形態では一体的な操作部として説明しているが、上ボタン、下ボタン、右ボタン、左ボタンがそれぞれ独立したボタンであってもよい。以下、上、または下部分を上下キー、左または右部分を左右キーと称する。また、操作部７０には以下の操作部も含まれる。
【００３８】
ＡＦ−ＯＮボタン７０ｂは、操作部７０に含まれる押しボタンスイッチであり、押下することでＡＦの実行を指示することができる。ＡＦ-ＰＮボタン７０ｂの押下方向は、レンズ１０３から撮像部２２に入射する被写体光の方向（光軸）と平行である。
【００３９】
クイック設定ボタン７０ｃ（以下、Ｑボタン７０ｃ）は、操作部７０に含まれる押しボタンスイッチであり、押下することで、各動作モードにおいて設定可能な設定項目の一覧であるクイック設定メニューが表示される。例えばライブビュー撮影での撮影待機中に押下されると、電子先幕シャッター、モニターの明るさ、ＬＶ画面のＷＢ、２点拡大、無音撮影などの設定項目の一覧がＬＶに重畳して１列に表示される。ユーザーは表示されたクイック設定メニューの内、任意の選択肢を上下キーで選択してセットボタンを押下することで、選択した設定項目に関する設定変更や動作モードへの移行を行うことができる。
【００４０】
アクティブ枠切替ボタン７０ｄは、操作部７０に含まれる押しボタンスイッチであり、後述する２点拡大処理において押下することで、拡大している２箇所のうち、アクティブな拡大位置（枠）を切り替えることができる。また、動作モードによって異なる機能が割り当てられており、再生モードにおいて押下すると、表示している画像にプロテクト属性を付与することができる。
【００４１】
メニューボタン７０ｅは、操作部７０に含まれる押しボタンスイッチであり、各種の設定が可能なメニュー画面が表示部２８に表示される。ファンクションボタン７０ｆは、操作部７０に含まれる３つの押しボタンスイッチであり、それぞれ機能が割り当てられている。ファンクションボタン７０ｆのそれぞれは、グリップ部９０を保持する右手の指（中指または薬指または小指）によって操作可能な位置に配置されており、押下方向はレンズ１０３から撮像部２２に入射する被写体光の方向（光軸）と平行である。
【００４２】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００４３】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００４４】
通信部５４は、無線または有線ケーブルによって接続し、映像信号や音声信号の送受信を行う。通信部５４は無線ＬＡＮ（Local Area Network）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００４５】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。
【００４６】
以下、本発明の各実施例の動作を説明する。
【００４７】
［実施例］
以下、フローチャート図５、図４および図６ を用いて説明を行う。マニュアルフォーカスの撮影が開始されると５００から５１０へ進み、撮影中のライブ画像を表示部２８に表示する。
【００４８】
５１１でマニュアルフォーカス変更が行われると、５２０に進みピーキング表示を行う設定になっているかを判定する（図４ ４０２で「しない」以外が設定されているかどうか）。ピーキング表示がされない設定の場合は５４０に進み、フォーカス変更がなければ５５０に進み撮影を行い、５５１で撮影終了ではない場合は５１０に戻るが、終了している場合は５６０で終了する。
【００４９】
一方、５２０でピーキング表示を行う設定になっている場合は、５２１に進んでピントが合っている領域のエッジ情報を取得する。すなわち、コントラスト評価値から合焦度合いの情報を用意する。５２２でピントが合っている領域を表示部２８に表示されている撮影スルー画上に重畳表示する。
【００５０】
５３０で合焦枠表示が設定されているか（図４ ４０２で「+合焦枠」が選択されているかどうか）を判定し、選択されている場合は５３１で合焦枠領域に合焦点が含まれる枠を表示する。このとき、コントラスト評価値が高いほどその点の含まれる合焦枠の枠を不透明に表示し、コントラスト評価値が下がるにつれて合焦枠の枠透過度を上げて撮影スルー画に重畳表示する（図６ ６０２参照）。また、５３０で合焦枠表示をしない設定の場合は、５４０に進み、フォーカス変更がなければ５５０に進み撮影を行い、５５１で撮影終了ではない場合は５１０に戻るが、終了している場合は５６０で終了する。５３１の合焦枠表示例は図３ ３０５の通りである。
【００５１】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５２】
１００  デジタルカメラ
４３  ファインダー外表示部
６１  シャッターボタン
【図１】
2019191439.tif 000003
【図２】
2019191439.tif 000004
【図３】
2019191439.tif 000005
【図４】
2019191439.tif 000006
【図５】
2019191439.tif 000007
【図６】
2019191439.tif 000008
【図７】
2019191439.tif 000009